(57)【要約】【課題】安価で、かつ後付け可能な別体の紙製の封止器具を提供すること。【解決手段】紙製封止器具１は、本体部分２と、第１の突出部３と、第２の突出部４と、第３の突出部５と、第４の突出部６と、第５の突出部７と、第６の突出部８とを備える。本体部分２は、長辺方向の略中心に設けられたミシン目９において、分断可能である。第１〜第３の突出部３〜５を有する分断後の第１の一片９ａが、紙製容器１１のフラップ１１ａの内側で接着される。第４〜第６の突出部６〜８を有する分断後の第２の一片９ｂが、紙製容器１１のフラップ１１ｂの内側で、第１の一片９ａと対向するように、接着される。【選択図】図１
2009280280.tif 000002
【特許請求の範囲】
【請求項１】
折り曲げ自在の両開きの蓋を有する紙製容器の前記蓋に取り付けて、前記蓋を封止するための紙製封止器具であって、
略長方形状の本体部分と、
前記本体部分を構成する紙と一連の紙によってできており、前記本体部分の一の長辺において、所定の第１の幅で前記一の長辺から突出している第１の突出部と、
前記本体部分を構成する紙と一連の紙によってできており、前記本体部分の前記一の長辺において、前記第１の突出部から、所定の第２の幅だけ直線状に間隙を空けて設けられており、所定の第３の幅で前記一の長辺から突出している第２の突出部と、
前記本体部分を構成する紙と一連の紙によってできており、前記本体部分の前記一の長辺において、前記第２の突出部から、所定の第４の幅だけ直線状に間隙を空けて設けられており、所定の第５の幅で前記一の長辺から突出している第３の突出部と、
前記本体部分を構成する紙と一連の紙によってできており、前記本体部分の他の長辺において、前記本体部分を挟んで前記第１の突出部と対向するように突出している第４の突出部と、
前記本体部分を構成する紙と一連の紙によってできており、前記本体部分の前記他の長辺において、前記本体部分を挟んで前記第２の突出部と対向するように突出している第５の突出部と、
前記本体部分を構成する紙と一連の紙によってできており、前記本体部分の前記他の長辺において、前記本体部分を挟んで前記第３の突出部と対向するように突出している第６の突出部とを備え、
前記一の長辺から前記第１の突出部が突出している幅は、前記他の長辺から前記第４の突出部が突出している幅よりも長く、
前記一の長辺から前記第２の突出部が突出している幅は、前記他の長辺から前記第５の突出部が突出している幅よりも短く、
前記一の長辺から前記第３の突出部が突出している幅は、前記他の長辺から前記第６の突出部が突出している幅よりも長く、
前記本体部分は、長辺方向の略中心において、分断可能であり、
前記第１、第２、及び第３の突出部を有する分断後の第１の一片が、前記蓋における一のフラップの内側で、前記一の長辺と前記一のフラップの縁とが沿うように接着され、
前記第４、第５、及び第６の突出部を有する分断後の第２の一片が、前記蓋における他のフラップの内側で、前記他の長辺と前記他のフラップの縁とが沿うように、かつ、第１の一片と対向するように、接着されることを特徴とする、紙製封止器具。
【請求項２】
前記第２、第４、及び第６の突出部の内、少なくとも一つは、先細りの形状を有することを特徴とする、請求項１に記載の紙製封止器具。
【請求項３】
前記第１及び第３の突出部の内、少なくとも一つは、前記第２の突出部側に向けて先広がりとなる形状を有することを特徴とする、請求項１又は２に記載の紙製封止器具。
【請求項４】
前記第５の突出部は、前記第４及び／又は第６の突出部側の辺が前記第４及び／又は第６の突出部側に向けて先広がりとなる形状を有することを特徴とする、請求項１〜３のいずれかに記載の紙製封止器具。
【請求項５】
前記第５の突出部は、切り込みによって形成されたつまみ部を有することを特徴とする、請求項１〜４のいずれかに記載の紙製封止器具。
【請求項６】
前記第５の突出部は、折り曲げることによって逆Ｕ字状に形成される持ち手部を有することを特徴とする、請求項１〜５のいずれかに記載の紙製封止器具。
【請求項７】
前記第１及び第２の一片の一方の面に、両面テープが貼り付けられていることを特徴とする、請求項１〜６のいずれかに記載の紙製封止器具。
【請求項８】
前記本体部分は、長辺方向の略中心において、ミシン目を有することを特徴とする、請求項１〜７のいずれかに記載の紙製封止器具。
【請求項９】
前記第１、第２、第３、第４、第５、及び第６の突出部は、略矩形状であることを特徴とする、請求項１に記載の紙製封止器具。
【請求項１０】
折り曲げ自在の両開きの蓋を有する紙製容器であって、
前記蓋に接着剤で後付けされた紙製封止器具を備え、
前記紙製封止器具は、
略長方形状の本体部分と、
前記本体部分を構成する紙と一連の紙によってできており、前記本体部分の一の長辺において、所定の第１の幅で前記一の長辺から突出している第１の突出部と、
前記本体部分を構成する紙と一連の紙によってできており、前記本体部分の前記一の長辺において、前記第１の突出部から、所定の第２の幅だけ直線状に間隙を空けて設けられており、所定の第３の幅で前記一の長辺から突出している第２の突出部と、
前記本体部分を構成する紙と一連の紙によってできており、前記本体部分の前記一の長辺において、前記第２の突出部から、所定の第４の幅だけ直線状に間隙を空けて設けられており、所定の第５の幅で前記一の長辺から突出している第３の突出部と、
前記本体部分を構成する紙と一連の紙によってできており、前記本体部分の他の長辺において、前記本体部分を挟んで前記第１の突出部と対向するように突出している第４の突出部と、
前記本体部分を構成する紙と一連の紙によってできており、前記本体部分の前記他の長辺において、前記本体部分を挟んで前記第２の突出部と対向するように突出している第５の突出部と、
前記本体部分を構成する紙と一連の紙によってできており、前記本体部分の前記他の長辺において、前記本体部分を挟んで前記第３の突出部と対向するように突出している第６の突出部とを備え、
前記一の長辺から前記第１の突出部が突出している幅は、前記他の長辺から前記第４の突出部が突出している幅よりも長く、
前記一の長辺から前記第２の突出部が突出している幅は、前記他の長辺から前記第５の突出部が突出している幅よりも短く、
前記一の長辺から前記第３の突出部が突出している幅は、前記他の長辺から前記第６の突出部が突出している幅よりも長く、
前記本体部分は、長辺方向の略中心において、分断されており、
前記第１、第２、及び第３の突出部を有する分断後の第１の一片が、前記蓋における一のフラップの内側で、前記一の長辺と前記一のフラップの縁とが沿うように接着され、
前記第４、第５、及び第６の突出部を有する分断後の第２の一片が、前記蓋における他のフラップの内側で、前記他の長辺と前記他のフラップの縁とが沿うように、かつ、第１の一片と対向するように、接着されていることを特徴とする、紙製容器。
【発明の詳細な説明】
【技術分野】
【０００１】
本発明は、折り曲げ自在の両開きの蓋を有する紙製容器の蓋を封止するための器具に関し、より特定的には、紙製容器とは別体の要素を用いて、蓋を封止するための紙製の封止器具に関する。
【背景技術】
【０００２】
折り曲げ自在の両開きの蓋を有する紙製容器の蓋を封止するために、当該紙製容器とは、別体の器具を用いて、当該蓋を封止する器具が種々提案されている。たとえば、特許文献１に記載の凹凸嵌合部は、嵌合可能な係止部や、フック係合構造、面ファスナー構造を用いて、蓋を封止する。特許文献２に記載のカバーは、段ボールの外側フラップの少なくとも対向縁部に冠設する断面コ字形の型材を、舌片内側と型材の上片外側とを着脱可能に固定することによって、蓋を封止する。特許文献３には、相互に係合し得るように対をなす係合部材が開示されている。特許文献４には、係止溝によって封止可能な係止フレームが開示されている。特許文献５には、鋲状凸起によって封止可能な封緘部材が開示されている。特許文献６には、上部舌片と下部舌片とを用いて係止するフラップ留め具が開示されている。
【０００３】
特許文献７は、別体の封止器具ではないが、上面部の開封後の再封止を可能にする構造を開示している。具体的には、包装用箱の上面部は、第１の上面片部及び第２の上面片部を備える。第１の上面片部及び第２の上面片部には、その先端部から切り欠かれた二つの切欠部が設けられている。当該二つの切欠部を互いに嵌め合わせるようにして、第１の上面片部と第２の上面片部とが係合する。
【先行技術文献】
【特許文献】
【０００４】
【特許文献１】実開平１−１３４０１６号公報
【特許文献２】実開昭６４−２７１９号公報
【特許文献３】実開昭６３−１２０８２１号公報
【特許文献４】実開昭６２−９３０２２号公報
【特許文献５】実開昭５８−１０３７１２号公報
【特許文献６】実開平３−４３４２２号公報
【特許文献７】特開２００６−２３２３０４号公報
【発明の概要】
【発明が解決しようとする課題】
【０００５】
特許文献１〜６に記載の器具は、紙製容器とは、別体の器具であるが、合成樹脂などによる成型品である。そのため、金型を用意して製造しなければならず、コスト高となる。また、このような別体の器具をつけたまま紙製容器を捨てることは、ゴミ分別の観点からあまり好ましくない。したがって、紙製容器を捨てる場合、わざわざ、このような別体の器具を取り外さなければならず、面倒である。
【０００６】
特許文献７に記載の包装用箱の蓋は、包装用箱の一部を構成しており、この蓋の構造をそのまま別体の封止器具に採用することはできない。
【０００７】
それゆえ、本発明は、安価で、かつ後付け可能な別体の紙製の封止器具を提供することを目的とする。
【課題を解決するための手段】
【０００８】
上記課題を解決するために、本発明は、以下のような特徴を有する。本発明は、折り曲げ自在の両開きの蓋を有する紙製容器の蓋に取り付けて、蓋を封止するための紙製封止器具であって、略長方形状の本体部分と、本体部分を構成する紙と一連の紙によってできており、本体部分の一の長辺において、所定の第１の幅で一の長辺から突出している第１の突出部と、本体部分を構成する紙と一連の紙によってできており、本体部分の一の長辺において、第１の突出部から、所定の第２の幅だけ直線状に間隙を空けて設けられており、所定の第３の幅で一の長辺から突出している第２の突出部と、本体部分を構成する紙と一連の紙によってできており、本体部分の一の長辺において、第２の突出部から、所定の第４の幅だけ直線状に間隙を空けて設けられており、所定の第５の幅で一の長辺から突出している第３の突出部と、本体部分を構成する紙と一連の紙によってできており、本体部分の他の長辺において、本体部分を挟んで第１の突出部と対向するように突出している第４の突出部と、本体部分を構成する紙と一連の紙によってできており、本体部分の他の長辺において、本体部分を挟んで第２の突出部と対向するように突出している第５の突出部と、本体部分を構成する紙と一連の紙によってできており、本体部分の他の長辺において、本体部分を挟んで第３の突出部と対向するように突出している第６の突出部とを備え、一の長辺から第１の突出部が突出している幅は、他の長辺から第４の突出部が突出している幅よりも長く、一の長辺から第２の突出部が突出している幅は、他の長辺から第５の突出部が突出している幅よりも短く、一の長辺から第３の突出部が突出している幅は、他の長辺から第６の突出部が突出している幅よりも長く、本体部分は、長辺方向の略中心において、分断可能であり、第１、第２、及び第３の突出部を有する分断後の第１の一片が、蓋における一のフラップの内側で、一の長辺と一のフラップの縁とが沿うように接着され、第４、第５、及び第６の突出部を有する分断後の第２の一片が、蓋における他のフラップの内側で、他の長辺と他のフラップの縁とが沿うように、かつ、第１の一片と対向するように、接着される。
【０００９】
好ましくは、第２、第４、及び第６の突出部の内、少なくとも一つは、先細りの形状を有するとよい。
【００１０】
好ましくは、第１及び第３の突出部の内、少なくとも一つは、第２の突出部側に向けて先広がりとなる形状を有するとよい。
【００１１】
好ましくは、第５の突出部は、第４及び／又は第６の突出部側の辺が第４及び／又は第６の突出部側に向けて先広がりとなる形状を有するとよい。
【００１２】
好ましくは、第５の突出部は、切り込みによって形成されたつまみ部を有するとよい。
【００１３】
好ましくは、第５の突出部は、折り曲げることによって逆Ｕ字状に形成される持ち手部を有するとよい。
【００１４】
好ましくは、第１及び第２の一片の一方の面に、両面テープが貼り付けられているとよい。
【００１５】
好ましくは、本体部分は、長辺方向の略中心において、ミシン目を有するとよい。
【００１６】
好ましくは、第１、第２、第３、第４、第５、及び第６の突出部は、略矩形状であるとよい。
【００１７】
また、本発明の他の局面は、折り曲げ自在の両開きの蓋を有する紙製容器であって、蓋に接着剤で後付けされた上記特徴を有する紙製封止器具を備える。
【発明の効果】
【００１８】
本発明によれば、第１の突出部と第４の突出部とが上下に係止され、第５の突出部と第２の突出部とが上下に係止され、さらに、第３の突出部と第６の突出部とが上下に係止されることとなる。これにより、紙製容器の蓋が封止されることとなる。第１の突出部と第２の突出部との間の直線上の間隙、第２の突出部と第３の突出部との間の直線上の間隙、第４の突出部と第５の突出部との間の直線上の間隙、並びに、第５の突出部と第６の突出部との間の直線上の間隙に、紙製容器の二つのフラップの縁が略揃うように、紙製封止器具１が取り付けられるので、これらの間隙によって、二つのフラップが当該縁で交差して、封止される。したがって、たとえば、紙製容器が、Ｂ段などの薄い段ボール紙や、Ｗ段やトリプルウォールなどの厚い段ボール紙から形成されていたとしても、二つのフラップを確実に封止することができる。本発明の紙製封止器具は、紙製であるので、安価に提供されることとなる。また、本発明の紙製封止器具は、本体部分を分断して、蓋に取り付けられるので、後付けが可能な別体の封止器具である。
【００１９】
第２、第４、及び第６の突出部の内、少なくとも一つを、先細りの形状にすれば、フラップが開きやすくなる。第１及び第３の突出部の内、少なくとも一つを、第２の突出部側に向けて先広がりとなる形状にすれば、フラップが開きにくくなる。第５の突出部において、第４及び／又は第６の突出部側の辺が第４及び／又は第６の突出部側に向けて先広がりとなる形状とすれば、フラップが開きにくくなる。さらに、第５の突出部につまみ部を設ければ、開けやすくなる。これにより、蓋がしっかり閉まりながらも開けやすい紙製封止器具が提供されることとなる。第５の突出部に持ち手部を設ければ、紙製容器の持ち運びが容易になる。
【００２０】
両面テープが予め一方の面に貼り付けられていれば、容易に紙製容器の封止を行うことができ、とても実用的である。特に、段ボールなどの紙製容器を繰り返し開け閉めする必要がある場合、たとえば、引っ越し作業中や、書類整理中などの場合に、ガムテープなどによる封止を行う必要がなく、とても便利である。本体部分にミシン目を設けておけば、簡単に本体部分を分断することができ、さらに、実用性が向上する。各突出部を略矩形状にすれば、摩擦力がより強くなり、封止力が強くなる。また、本発明の紙製封止器具を取り付けた紙製容器自体を製造して販売してもよく、封止が何度でも可能な紙製容器が提供されることとなる。
【００２１】
本発明のこれらおよび他の目的、特徴、局面、効果は、添付図面と照合して、以下の詳細な説明から一層明らかになるであろう。
【図面の簡単な説明】
【００２２】
【図１】本発明の実施形態における紙製封止器具１の平面図
【図２】紙製封止器具１が折り曲げ自在の両開きの蓋を有する紙製容器１１に取り付けられたときの様子を示す図
【図３】フラップ１１ａ及び１１ｂが閉じられるときの様子を示す図
【図４】フラップ１１ａ及び１１ｂが完全に閉じられたときの様子を示す図
【図５】図４におけるＡ−Ａ面での断面拡大図
【図６】本発明の第２の実施形態における紙製封止器具１ａの平面図
【図７】紙製封止器具１ａが折り曲げ自在の両開きの蓋を有する紙製容器１１に取り付けられたときの様子を示す図
【図８】第２の実施形態において、フラップ１１ａ及び１１ｂが完全に閉じられたときの様子を示す図
【図９】本発明の第３の実施形態における紙製封止器具１ｂの平面図
【図１０】紙製封止器具１ｂが折り曲げ自在の両開きの蓋を有する紙製容器１１に取り付けられたときの様子を示す図
【図１１】第３の実施形態において、フラップ１１ａ及び１１ｂが完全に閉じられたときの様子を示す図
【図１２】本発明の第４の実施形態における紙製封止器具１ｃの平面図
【発明を実施するための形態】
【００２３】
（第１の実施形態）
図１は、本発明の第１の実施形態における紙製封止器具１の平面図である。図１において、紙製封止器具１は、略長方形状の本体部分２と、第１の突出部３と、第２の突出部４と、第３の突出部５と、第４の突出部６と、第５の突出部７と、第６の突出部８とを備える。紙製封止器具１は、たとえば、一枚の段ボール紙をトムソン型で抜き取ることによって、形成される。
【００２４】
第１の突出部３は、本体部分２を構成する紙と一連の紙によってできており、本体部分２の一の長辺２ａにおいて、所定の第１の幅ａ１で長辺２ａから略矩形状に突出している。第２の突出部４は、本体部分２を構成する紙と一連の紙によってできており、長辺２ａにおいて、第１の突出部３から、所定の第２の幅ａ２だけ直線状に間隙を空けて設けられており、所定の第３の幅ａ３で長辺２ａから略矩形状に突出している。第３の突出部５は、本体部分２を構成する紙と一連の紙によってできており、長辺２ａにおいて、第２の突出部４から、所定の第４の幅ａ４だけ直線状に間隙を空けて設けられており、所定の第５の幅ａ５で長辺２ａから略矩形状に突出している。
【００２５】
第４の突出部６は、本体部分２を構成する紙と一連の紙によってできており、本体部分２の他の長辺２ｂにおいて、本体部分２を挟んで第１の突出部３と対向するように略矩形状に突出している。すなわち、第４の突出部６は、所定の第１の幅ａ１で長辺２ｂから略矩形状に突出している。
【００２６】
第５の突出部７は、本体部分２を構成する紙と一連の紙によってできており、長辺２ｂにおいて、本体部分２を挟んで第２の突出部４と対向するように略矩形状に突出している。すなわち、第５の突出部７は、第４の突出部６から、所定の第２の幅ａ２だけ直線状に間隙を空けて設けられており、所定の第３の幅ａ３で長辺２ｂから略矩形状に突出している。
【００２７】
第６の突出部８は、本体部分２を構成する紙と一連の紙によってできており、長辺２ｂにおいて、本体部分２を挟んで第３の突出部５と対向するように略矩形状に突出している。すなわち、第６の突出部８は、第５の突出部７から、所定の第４の幅ａ４だけ直線状に間隙を空けて設けられており、所定の第５の幅ａ５で長辺２ｂから略矩形状に突出している。
【００２８】
長辺２ａから第１の突出部３が突出している幅ａ６は、長辺２ｂから第４の突出部６が突出している幅ａ７よりも長い。長辺２ａから第２の突出部４が突出している幅ａ７は、長辺２ｂから第５の突出部７が突出している幅ａ６よりも短い。長辺２ａから第３の突出部５が突出している幅ａ６は、長辺２ｂから第６の突出部８が突出している幅ａ７よりも長い。
【００２９】
本体部分２は、長辺方向の略中心に、ミシン目９を有する。ミシン目９を境に、本体部分２は、第１〜第３の突出部３，４，５を含む第１の一片９ａと、第４〜第６の突出部６，７，８を含む第２の一片９ｂとに分断される。第１の一片９ａの一方の面には、両面テープ１０ａが貼り付けられている。第２の一片９ｂの一方の面には、両面テープ１０ｂが貼り付けられている。
【００３０】
図２は、紙製封止器具１が折り曲げ自在の両開きの蓋を有する紙製容器１１に取り付けられたときの様子を示す図である。第１の一片９ａは、両面テープ１０ａによって、蓋における一のフラップ１１ａの内側で、長辺２ａとフラップ１１ａの縁１２ａとが略一致するように接着される。ここで、略一致とは、フラップ１１ａとフラップ１１ｂとを封止することが可能な程度に、長辺２ａとフラップ１１ａの縁１２ａとがずれていてもよいことを意味する（以下、同様）。長辺２ａとフラップ１１ａの縁１２ａとが沿うように、第１の一片９ａがフラップ１１ａに接着されていれば、長辺２ａとフラップ１１ａの縁１２ａとが多少ずれていても封止可能である。さらに、フラップ１１ａの厚みと第１の一片９ａの厚みとの相違によっては、第１の一片９ａを多少ずらしてフラップ１１ａに接着した方が、封止が確実になる場合がある。接着位置の調整は、適宜決められるものであり、いずれにせよ、長辺２ａとフラップ１１ａの縁１２ａとが沿うように、第１の一片９ａがフラップ１１ａに接着されていればよい。同様に、第２の一片９ｂは、両面テープ１０ｂによって、蓋における一方のフラップ１１ｂの内側で、長辺２ｂとフラップ１１ｂの縁１２ｂとが略一致するように、第１の一片９ａと対向するように、接着される。なお、第２の一片９ｂとフラップ１１ｂについても同様に、長辺２ｂとフラップ１１ｂの縁１２ｂとが沿うように接着されていればよい。
【００３１】
図３は、フラップ１１ａ及び１１ｂが閉じられるときの様子を示す図である。第４の突出部６は第１の突出部３の下に入り込み、第２の突出部４は第５の突出部７の下に入り込み、第６の突出部８は第３の突出部５の下に入り込むようにして、フラップ１１ａ及び１１ｂが閉じられる。第４の突出部６、第２の突出部４、及び第６の突出部８は、それぞれ、第１の突出部３、第５の突出部７、及び第３の突出部５の突出幅よりも短いので、図３に示すような入り込みが容易に行われる。
【００３２】
図４は、フラップ１１ａ及び１１ｂが完全に閉じられたときの様子を示す図である。図５は、図４におけるＡ−Ａ面での断面拡大図である。図５に示すように、第１の突出部３は、第４の突出部６の上に位置するようにして、フラップ１１ａ及び１１ｂが封止される。フラップ１１ａ及び１１ｂの封止を確実なものにするために、紙製封止器具１は、硬い材質からできているとよい。たとえば、紙製封止器具１は、Ｂ段の段ボールなどでできているとよい。紙製封止器具１を硬い材質にすることによって、フラップ１１ａ及び１１ｂが紙製封止器具１の厚み分だけ緩やかに湾曲して、第１の一片９ａと第２の一片９ｂとが密着することなる。
【００３３】
蓋を開ける場合は、上記と逆の動作を行えばよい。
【００３４】
このように、第１の実施形態によれば、第１の突出部３と第４の突出部６とが上下に係止され、第５の突出部７と第２の突出部４とが上下に係止され、さらに、第３の突出部５と第６の突出部８とが上下に係止されることとなる。これにより、紙製容器１１の蓋が封止されることとなる。第１の突出部３と第２の突出部４との間の直線上の間隙、第２の突出部４と第３の突出部５との間の直線上の間隙、第４の突出部６と第５の突出部７との間の直線上の間隙、並びに、第５の突出部７と第６の突出部８との間の直線上の間隙に、フラップ１１ａ及びフラップ１１ｂの縁が略揃うように、紙製封止器具１が取り付けられるので、これらの間隙によって、フラップ１１ａ及びフラップ１１ｂが当該縁で交差して、封止される。したがって、たとえば、紙製容器が、Ｂ段などの薄い段ボール紙や、Ｗ段やトリプルウォールなどの厚い段ボール紙から形成されていたとしても、二つのフラップを確実に封止することができる。紙製封止器具１は、紙製であるので、安価に提供されることとなる。また、紙製封止器具１は、本体部分２を分断して、蓋に取り付けられるので、後付けが可能な別体の封止器具である。両面テープ１０ａ，１０ｂが予め一方の面に貼り付けられているので、容易に紙製容器１１の封止を行うことができ、とても実用的である。特に、段ボールなどの紙製容器１１を繰り返し開け閉めする必要がある場合、たとえば、引っ越し作業中や、書類整理中などの場合に、ガムテープなどによる封止を行う必要がなく、とても便利である。本体部分２にミシン目９を設けているので、簡単に本体部分２を分断することができ、さらに、実用性が向上する。各突出部を略矩形状にすれば、摩擦力がより強くなり、封止力が強くなる。また、紙製封止器具１を取り付けた紙製容器１１自体を製造して販売してもよく、封止が何度でも可能な紙製容器１１が提供されることとなる。
【００３５】
なお、第４の突出部６、第５の突出部７、及び第６の突出部８は、それぞれ、第１の突出部３、第２の突出部４、及び第３の突出部５と同一の幅ａ１，ａ３，及びａ５で突出していることとしたが、これに限られるものではない。第４の突出部６、第５の突出部７、及び第６の突出部８は、それぞれ、第１の突出部３、第２の突出部４、及び第３の突出部５に対向するように突出さえしていれば、幅ａ１，ａ３，及びａ５よりも狭い幅で突出していてもよい。逆に、第４の突出部６、第５の突出部７、及び第６の突出部８は、幅ａ１，ａ３，及びａ５よりも広い幅で突出していてもよい。第１の実施形態においては、第４の突出部６、第５の突出部７、及び第６の突出部８は、それぞれ、第１の突出部３、第２の突出部４、及び第３の突出部５に対向するように突出して、かつ、各突出部間に直線上の間隙を設けることによって、紙製容器の封止を確実なものとしている。特に、これらの特徴的な形状によって、厚さの異なる紙製容器であっても、封止が可能となる汎用的な紙製封止器具１が提供される。
【００３６】
なお、本体部分２の分断は、ミシン目９を用いた場合に限らない。ハサミやカッターナイフ等を用いて、本体部分２が分断されてもよい。
【００３７】
なお、第１及び第２の一片９ａ，９ｂの接着は、両面テープ１０ａ，１０ｂを用いた場合に限られない。適宜、ボンドやガムテープ等を用いて、紙製容器１１に接着されてもよい。
【００３８】
なお、第１〜第６の突出部３〜８の形状は、略矩形状に限られるものではない。略半円状、略半楕円状等であってもよいし、その他の形状であってもよい。
【００３９】
なお、少なくとも３組の突出部を有していればよく、紙製封止器具が４組以上の突出部を有していても良い。
【００４０】
（第２の実施形態）
図６は、本発明の第２の実施形態における紙製封止器具１ａの平面図である。図６において、第１の実施形態と同様の機能を有する部分については、同一の参照符号を付し、理解しやすくする。
【００４１】
第２の実施形態において、第１の実施形態と異なる点を中心に説明する。第２、第４、及び第６の突出部４，６，８は、それぞれ、先細りの形状を有している。さらに、第１及び第３の突出部３，５も、それぞれ、先細りの形状を有している。また、第５の突出部７は、切り込み７ｂ，７ｂによって形成されたつまみ部７ａを有する。
【００４２】
図７は、紙製封止器具１ａが折り曲げ自在の両開きの蓋を有する紙製容器１１に取り付けられたときの様子を示す図である。第２の実施形態においても、第１の実施形態と同様、第１及び第２の一片９ａ，９ｂが、ぞれぞれ、フラップ１１ａ及び１１ｂに取り付けられる。図８は、フラップ１１ａ及び１１ｂが完全に閉じられたときの様子を示す図である。図８に示すように、フラップ１１ａ及び１１ｂが完全に閉じられた場合、第５の突出部７のつまみ部７ａが紙製容器１１ａの上面に露出する状態となる。紙製容器１１のフラップ１１ａ及び１１ｂを開けたいとき、つまみ部７ａが使用者によって持たれる。つまみ部７ａを持ったままつまみ部７ａを持ち上げると、フラップ１１ｂが持ち上げられる。このようにして、容易にフラップ１１ａ及び１１ｂを開けることができる。
【００４３】
さらに、第２、第４、及び第６の突出部４，６，８は、それぞれ、先細りの形状を有しているので、フラップ１１ａ及び１１ｂを開ける際、第４及び第６の突出部６，８と第１の一片９ａとの摩擦が小さくなり、第２の突出部４と第２の一片９ｂとの摩擦が小さくなる。よって、第２、第４、及び第６の突出部４，６，８を、それぞれ、先細りの形状にすることによって、フラップ１１ａ及び１１ｂが開けやすくなる。なお、第２、第４、及び第６の突出部４，６，８の内、少なくとも一つを先細りの形状にすることによって、フラップ１１ａ及び１１ｂが開けやすくなるという効果が得られる。
【００４４】
（第３の実施形態）
図９は、本発明の第３の実施形態における紙製封止器具１ｂの平面図である。図９において、第１又は第２の実施形態と同様の機能を有する部分については、同一の参照符号を付し、理解しやすくする。
【００４５】
第３の実施形態において、第１の実施形態と異なる点を中心に説明する。第４及び第６の突出部６，８は、それぞれ、先細りの形状を有している。また、第５の突出部７は、第２の実施形態と同様、切り込み７ｂ，７ｂによって形成されたつまみ部７ａを有する。これらにより、第２の実施形態と同様、フラップ１１ａ，１１ｂが開きやすくなる。
【００４６】
第１及び第３の突出部３，５は、それぞれ、第２の突出部４側に向けて、先広がりとなる形状を有している。図１０は、紙製封止器具１ｂが折り曲げ自在の両開きの蓋を有する紙製容器１１に取り付けられたときの様子を示す図である。第３の実施形態においても、第１の実施形態と同様、第１及び第２の一片９ａ，９ｂが、ぞれぞれ、フラップ１１ａ及び１１ｂに取り付けられる。図１１は、フラップ１１ａ及び１１ｂが完全に閉じられたときの様子を示す図である。図１１に示すように、第１及び第３の突出部３，５が第２の突出部４側に向けて先広がりとなる形状を有しているので、フラップ１１ｂと第１及び第３の突出部３，５との摩擦が大きくなる。よって、フラップ１１ａ，１１ｂがしっかり固定され、開きにくくなる。
【００４７】
さらに、第５の突出部７は、第４の突出部６側の辺が第４の突出部４側に向けて先広がりとなっており、かつ、第６の突出部８側の辺が第６の突出部８側に向けて先広がりとなっている。したがって、フラップ１１ａと第５の突出部７との摩擦が大きくなる。よって、フラップ１１ａ，１１ｂがしっかり固定され、さらに、開きにくくなる。
【００４８】
このように、第３の実施形態では、つまみ部７を持って開けようとすればフラップ１１ａ，１１ｂを開けやすいにも関わらず、フラップ１１ａ，１１ｂを閉じた状態では開きにくくなっている紙製封止器具１ｂが提供されることとなる。
【００４９】
なお、第１及び第３の突出部３，５の内、少なくとも一つが、第２の突出部４側に向けて先広がりとなる形状を有していれば、フラップ１１ａ，１１ｂが開きにくくなるという効果が得られる。また、第５の突出部７は、第４又は第６の突出部６，８側の辺が第４又は第６の突出部６，８側に向けて先広がりとなる形状を有していれば、フラップ１１ａ，１１ｂが開きにくくなるという効果が得られる。
【００５０】
（第４の実施形態）
図１２は、本発明の第４の実施形態における紙製封止器具１ｃの平面図である。図１２において、第１の実施形態と同様の機能を有する部分については、同一の参照符号を付し、理解しやすくする。
【００５１】
第４の実施形態において、第１の実施形態と異なる点を中心に説明する。第５の突出部７は、切り込み７ｄ及び折り線７ｃ，７ｃを有する。第１の一片９ａ及び第２の一般９ｂがそれぞれフラップ１１ａ，１１ｂに取り付けられた後、折り線７ｃ，７ｃで谷折りにすれば、逆Ｕ字状に形成される持ち手部７ｅが得られる。
【００５２】
このように、第４の実施形態によれば、持ち手部７ｅを形成することができ、紙製容器１１の持ち運びがしやすくなる。
【００５３】
なお、第２〜４の実施形態においても、第１の実施形態と同様の変形が可能である。
【００５４】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５５】
本発明によれば、安価で、かつ後付け可能な別体の紙製の封止器具及びそれを用いた紙製容器が提供される。
【符号の説明】
【００５６】
１，１ａ，１ｂ，１ｃ  紙製封止器具
２  本体部分
２ａ，２ｂ  長辺
３  第１の突出部
４  第２の突出部
５  第３の突出部
６  第４の突出部
７  第５の突出部
７ａ  つまみ部
７ｂ，７ｄ  切り込み
７ｃ  折り線
８  第６の突出部
９  ミシン目
９ａ  第１の一片
９ｂ  第２の一片
１０ａ，１０ｂ  両面テープ
１１ａ，１１ｂ  フラップ
１２ａ，１２ｂ  縁
【図１】
2009280280.tif 000003
【図２】
2009280280.tif 000004
【図３】
2009280280.tif 000005
【図４】
2009280280.tif 000006
【図５】
2009280280.tif 000007
【図６】
2009280280.tif 000008
【図７】
2009280280.tif 000009
【図８】
2009280280.tif 000010
【図９】
2009280280.tif 000011
【図１０】
2009280280.tif 000012
【図１１】
2009280280.tif 000013
【図１２】
2009280280.tif 000014